(57)【要約】【課題】貯湯式給湯機の据付脚の耐震強度を向上させるだけでなく、据付け作業性もあわせて向上することにより、高層化する集合住宅への据付けに対応することを目的とする。【解決手段】前方が開いた角度をなす少なくとも２面の据付脚柱面を持ち、アンカ−ボルト締結面とタンク固定面をこれらの据付脚柱面より折り曲げ加工による一体で構成した据付脚により、耐震強度を大幅に向上するとともに、据付脚高さを高くすることを可能にし、据付け作業性を向上したものである。【選択図】図１
2006132858.tif 000002
【特許請求の範囲】
【請求項１】
機器を固定する機器固定面を天部に備えるとともに、前記機器固定面と向かい合うようにして底部に配置されたアンカ−ボルト締結面と、前方が開いた角度をなすように側面に配置された据付脚柱面とを備え、前記アンカ−ボルト締結面と前記機器固定面はそれぞれが前記据付脚柱面より折り曲げ加工による一体構成とした据付脚。
【請求項２】
さらに据付脚柱背面を備え、据付脚柱面は前方に開いた角度となるように前記据付脚柱背面を折り曲げ加工されることにより形成される請求項１記載の据付脚。
【請求項３】
据付脚柱背面は台形形状とした請求項１または２記載の据付脚。
【請求項４】
アンカ−ボルト締結面と据付脚柱面の外周各面とに接した略箱形状をなした据付脚補強板を有する請求項１から３のいずれか１項に記載の据付脚。
【請求項５】
据付脚補強板にアンカーボルト穴を備え、前記アンカーボルト穴はアンカ−ボルト締結面に設けられたアンカ−ボルトを挿入する穴と同位置に配された請求項４記載の据付脚。
【請求項６】
アンカ−ボルト締結面に設けられたアンカーボルト穴を長穴形状とした請求項５記載の据付脚。
【請求項７】
請求項１から６のいずれか１項に記載の据付脚の機器固定面により貯湯タンクを固定してなる貯湯式給湯機。
【発明の詳細な説明】
【技術分野】
【０００１】
本発明は、設備機器等の重量物を据置く据付脚及びその据付脚を用いて貯湯タンクが設置される貯湯式給湯機に関するものである。
【背景技術】
【０００２】
従来この種の据付脚とその据付脚を用いた貯湯式給湯機は、据え付け時の作業性を改善する目的のために、底部に複数個の設置据付脚を設けた貯湯式給湯機本体を備え、この貯湯式給湯機本体後方に位置する後据付脚を床面に固定した据付脚固定金具に着脱自在に挿入係合させ、かつ貯湯式給湯機本体の前方に位置する前据付脚を床面に固定したアンカ−ボルトに締め付け固定したものにおいて、前記貯湯式給湯機本体の前据付脚に、後方に向かって開口する切欠きと、該切欠きの近傍に位置して係止穴を設け、前記切欠きにアンカ−ボルトを挿通させるとともに、前記係止穴に係合する突片を備えたワッシャ−を介してアンカ−ボルトに締め付け固定することを特徴としている（例えば、特許文献１参照）。
【０００３】
このような構成においては前据付脚および後据付脚は床接地部と据付脚柱の２部品からなり、床接地部と据付脚柱はそれぞれ平行な面があり、その面同志を適正なクリアランスをもって合わせることで溶接やかしめやねじ止めなどの方法により固定し組立てた構成となっている。
【０００４】
また、前据付脚および後据付脚の複数個ある床接地部は、切欠きにアンカ−ボルトを挿通させる関係から全て同一方向に向いたレイアウトとなっている。
【０００５】
図６は、上記特許文献１に記載された従来の貯湯式給湯機を示すものである。図において、１は本体、２は前据付脚、２−１は据付脚柱、３は後据付脚、４はワッシャ−、５はアンカ−ボルト、６はナット、１０は据付脚固定金具である。
【特許文献１】特開２００１−４１５９０号公報
【発明の開示】
【発明が解決しようとする課題】
【０００６】
昨今の貯湯式給湯機は、ふろ自動湯はり機能や温水暖房機能などを備えた高機能でかつ、湯ぎれの心配がない大容量のタイプが一般的となってきている。
【０００７】
さらに、利便性を求める関係から都会地においては高層化した集合住宅が増加傾向にあり、これに据え付ける貯湯式給湯機については、高層部での地震に対する十分な強度が求められるようになってきている。
【０００８】
また、一般的にふろ自動湯はり機能や温水暖房機能のための配管は床下に配置されるため、貯湯式給湯機の配管接続部は貯湯式給湯機本体の底の据付脚取り付け面にあって、配管工事は据付脚のあるスペ−スで行われる。
【０００９】
とりわけ高層住宅では据え付け作業性の向上が求められ、従来の構成にあるように据付脚へのアンカ−ボルト固定作業を簡易化するだけでなく、配管工事、排水処理工事の作業性向上への要望のウエイトが大きくなってきている。
【００１０】
しかしながら上記従来の構成では、前据付脚および後据付脚は床接地部と据付脚柱の２部品を溶接などにより組立てた構成となっていることと、床接地部と据付脚柱はいずれも平行な箱型形状で、複数個ある床接地部は全て同一方向に向いたレイアウトとなっているため、従来以上の強い地震衝撃が床接地部の向きに対してある角度で発生した場合には、据付脚断面は平行四辺形をたたむように変形し、床接地部と据付脚柱を固定している箇所は応力集中が起因して破損してしまう。
【００１１】
これに対応して耐震強度を向上させるためには、据付脚数を増やしたり、据付脚柱を太く大きくする必要があり、床面上の配管スペースが狭くなり、配管工事の作業性を悪化させてしまうという課題を有していた。
【００１２】
本発明は、貯湯式給湯機の耐震強度を向上と据え付け作業性の向上を両立させるための課題を解決するもので、貯湯式給湯機の据付脚数を増やしたり、据付脚柱を太くすることなく、耐震強度を大幅に向上させることができるため、高層住宅への貯湯式給湯機の設置を可能にするだけでなく、据付脚を高くして従来の強度が確保できることから、配管工事の作業性をさらに向上することも可能となる。
【課題を解決するための手段】
【００１３】
上記課題を達成するため本発明の据付脚は、機器を固定する機器固定面を天部に備えるとともに、前記機器固定面と向かい合うようにして底部に配置されたアンカ−ボルト締結面と、前方が開いた角度をなすように側面に配置された据付脚柱面とを備え、前記アンカ−ボルト締結面と前記機器固定面はそれぞれが前記据付脚柱面より折り曲げ加工による一体構成としたものである。
【００１４】
上記発明によれば、従来以上の強い地震衝撃があったとしても、２面の据付脚柱面に角度がついていることから、平行四辺形をたたむような変形は起こり得ず、応力が分散される事に加えて、据付脚全体がもともと一体であるため、応力集中する部位がなく耐震強度は大幅に向上する。すなわち高層住宅への設置を可能にすることができる。
【００１５】
また、従来以上の耐震強度が得られることから、据付脚高さを大幅に高くすることができ、アンカ−ボルト固定作業についても、後方の据付脚も含め全ての据付脚が前方から容易に作業できる空間を確保することができ、作業性としては従来技術をはるかにしのぐ。さらに、高機能タイプの貯湯式給湯機のようにタンク下部で床面上の配管スペースにふろ自動湯はり機能や温水暖房機能のための配管、排水処理が数多く存在する場合にも、作業スペースが大きいことから、配管作業、排水処理作業の作業性が向上する。
【００１６】
さらに、アンカ−ボルト固定穴をアンカ−ボルト締結面の重心位置に配してもよく、耐震強度はさらに向上する上、前方が開いた台形形状であるため工具の取りまわしスペースに余裕があるため、狭小スペ−ス用の特殊な工具がなくとも、一般的な大型の締結用工具（レンチやモンキ−）により作業ができ、作業性に優れているという事がいえる。
【発明の効果】
【００１７】
本発明の据付脚は、従来以上の強い地震衝撃があったとしても、２面の据付脚柱面に角度がついていることから、平行四辺形をたたむような変形は起こり得ず、応力が分散される事に加えて、据付脚全体がもともと一体であるため、応力集中する部位がなく耐震強度は大幅に向上する。すなわち高層住宅への設置を可能にすることができる。
【００１８】
また、従来以上の耐震強度が得られることから、据付脚高さを大幅に高くすることができ、アンカ−ボルト固定作業についても、後方の据付脚も含め全ての据付脚が前方から容易に作業できる空間を確保することができ、作業性としては従来技術をはるかにしのぐ。さらに、高機能タイプの貯湯式給湯機のようにタンク下部で床面上の配管スペースにふろ自動湯はり機能や温水暖房機能のための配管、排水処理が数多く存在する場合にも、作業スペースが大きいことから、配管作業、排水処理作業の作業性が向上する。
【００１９】
さらに、アンカ−ボルト固定穴をアンカ−ボルト締結面の重心位置に配してもよく、耐震強度はさらに向上する上、前方が開いた台形形状であるため工具の取りまわしスペースに余裕があるため、狭小スペ−ス用の特殊な工具がなくとも、一般的な大型の締結用工具（レンチやモンキ−）により作業ができ、作業性に優れているという事がいえる。
【発明を実施するための最良の形態】
【００２０】
第１の発明は、機器を固定する機器固定面を天部に備えるとともに、前記機器固定面と向かい合うようにして底部に配置されたアンカ−ボルト締結面と、前方が開いた角度をなすように側面に配置された据付脚柱面とを備え、前記アンカ−ボルト締結面と前記機器固定面はそれぞれが前記据付脚柱面より折り曲げ加工による一体構成としたことを特徴とするものである。
【００２１】
その結果、従来以上の強い地震衝撃があったとしても、２面の据付脚柱面に角度がついていることから、平行四辺形をたたむような変形が起こらないことで応力が分散され、変形しにくいだけでなく、据付脚全体がもともと一体であるため、応力集中する部位がなく破損に対する強度が大幅に向上する。
【００２２】
また、従来以上の耐震強度が得られることから、据付脚高さを大幅に高くすることができ、アンカ−ボルト固定作業についても、前方から容易に作業できる空間を確保することができ、作業性としては従来技術をはるかにしのぐ。
【００２３】
さらに、アンカ−ボルト固定穴をアンカ−ボルト締結面の重心位置に配してもよく、耐震強度はさらに向上する上、前方が開いた台形形状であるため工具の取りまわしスペースに余裕があるため、狭小スペ−ス用の特殊な工具がなくとも、一般的な大型の締結用工具（レンチやモンキ−）により作業ができ、作業性に優れているという事がいえる。
【００２４】
第２の発明は、第１の発明において、さらに据付脚柱背面を備え、据付脚柱面は前方に開いた角度となるように前記据付脚柱背面を折り曲げ加工されることにより形成することを特徴とするものであり、従来以上の強い地震衝撃を据付脚の側面方向より受けた場合に対し、大幅な強度向上する。
【００２５】
そして、従来は据付脚のための材料として、強度確保の関係から特別に厚い板厚の金属板材料を使用していたが、本発明の構成により板厚を薄くすることが可能となり、特別な金属板材料でなく、貯湯式給湯機の構造材料として一般的に使用している金属板材料をそのまま転用することで、省資源が図れるだけでなく合理的なものづくりが実現できる。
【００２６】
さらに、据付脚の加工の段階で金属板を折り曲げ加工のための平面展開状態の形状が略正方形となり、材料ロスが少なく、加工用金型の小型化が図れて、省資源が図れるだけでなく合理的なものづくりが実現できる。
【００２７】
第３の発明は、第１または第２の発明において、据付脚柱背面を台形形状としたことを特徴とするものであり、縦ゆれ地震であったり、大容量化の関係から重心位置の大幅に高くなった製品に対する横ゆれ地震により、上下方向に大きな衝撃が加わった場合の応力に対し耐震強度を向上させることができ、高層住宅への設置を可能にする。
【００２８】
そして、据付脚柱背面の台形形状が、上部に小さく下部に大きな形状とすれば、例えば貯湯式給湯機底部の据付脚を固定している面積が小さく、すなわち高機能タイプに必要なふろ自動湯はり機能や温水暖房機能のための配管スペースが大きく確保することができて、配管作業、排水処理作業の作業性が向上する。加えて、床面上のアンカ−ボルト締結面は逆に大きくなるため、工具の取りまわしスペースが増し、締結用工具（レンチやモンキ−）による作業性もまた向上する。
【００２９】
さらにまた、本発明による構造は、さらなる配管作業性の向上のために据付脚高さを高くし、タンク固定面を小さくしても、耐震強度を損なうだけでなく、金属材料の平面展開形状が大きくならないため、省資源が図れるだけでなく合理的なものづくりが実現できる。
【００３０】
第４の発明は、第１から第３の発明において、アンカ−ボルト締結面と据付脚柱面の外周各面とに接した略箱形状をなした据付脚補強板を有するものであり、応力がもっとも大きくなるアンカ−ボルト締結面に対する補強ができる。
【００３１】
第５の発明は、第４の発明の据付脚補強板のアンカーボルト穴において、アンカ−ボルト締結面のアンカ−ボルトを挿入する穴と同位置に配するものであり、アンカーボルトにアンカー用ナットを締結することで、前記アンカ−ボルト締結面と前記据付脚補強板が締結されることを特徴とするものであり、応力がもっとも大きくなるアンカ−ボルト締結面に対する補強ができるだけでなく、据付脚補強板が据付脚下部の大きな面による密着した状態で取り付け固定しており、応力が分散されることで、その補強効果が大きくなる。
【００３２】
さらにまた、据付脚のアンカ−ボルト締結面にあるアンカ−ボルトを挿入する穴を長穴形状とし、据付脚補強板のアンカーボルト穴を、アンカ−基準穴となる必要最小寸法の穴とするものと、アンカ−ボルトの挿入が容易な前記長穴とほぼ同一の寸法とするものを作成することにより、アンカ−ボルト締結において正確かつ容易な作業が実現できる。
【００３３】
第６の発明は、後方側にある据付脚のアンカ−ボルト締結面に設けられたアンカーボルト穴を長穴形状としたことを特徴とするものであり、貯湯式給湯機の製品自体を前方の据付脚の床に接地した前端部を支点に少し傾けることで、後方のアンカーボルト穴にアンカ−ボルトを挿入でき、しかも前方より締結作業も可能であるため、据付け作業が非常に簡易化できる。
【００３４】
また、前方の据付脚のアンカーボルト穴をアンカ−基準穴となる必要最小寸法の穴とすることによって、正確かつ容易な作業が実現できる。
【００３５】
また、第７の発明は、第１から第６のいずれかの据付脚の機器固定面により貯湯タンクを固定してなる貯湯式給湯機である。
【００３６】
その結果、従来以上の強い地震衝撃があったとしても、２面の据付脚柱面に角度がついていることから、平行四辺形をたたむような変形が起こらないことで応力が分散され、変形しにくいだけでなく、据付脚全体がもともと一体であるため、応力集中する部位がなく破損に対する強度が大幅に向上しており、すなわち高層住宅への設置を可能にすることができる。
【００３７】
また、従来以上の耐震強度が得られることから、据付脚高さを大幅に高くすることができ、アンカ−ボルト固定作業についても、後方の据付脚も含め全ての据付脚が前方から容易に作業できる空間を確保することができ、作業性としては従来技術をはるかにしのぐ。さらに、高機能タイプの貯湯式給湯機のようにタンク下部で床面上の配管スペースにふろ自動湯はり機能や温水暖房機能のための配管、排水処理が数多く存在する場合にも、作業スペースが大きいことから、配管作業、排水処理作業の作業性が向上する。
【００３８】
さらに、アンカ−ボルト固定穴をアンカ−ボルト締結面の重心位置に配してもよく、耐震強度はさらに向上する上、前方が開いた台形形状であるため工具の取りまわしスペースに余裕があるため、狭小スペ−ス用の特殊な工具がなくとも、一般的な大型の締結用工具（レンチやモンキ−）により作業ができ、作業性に優れているという事がいえる。
【００３９】
以下、本発明の実施の形態について、図面を参照しながら説明する。なお、この実施の形態によって本発明が限定されるものではない。
【００４０】
（実施の形態１）
図１は本発明の、第１の実施の形態における貯湯式給湯機の全体構成図、図２は同貯湯式給湯機を下方より見た図、図３は同貯湯式給湯機の外観図である。
【００４１】
図１、図２、図３において、お湯を貯める貯湯タンク１の湯水を取出し熱源機２で加熱後、再度貯湯タンク１に戻すことで沸き上げ回路３を構成し、貯湯タンク１の上部から高温水を積層状態で貯湯するようにしている。なお、本実施の形態においてはＣＯ２を冷媒とした超臨界ヒートポンプサイクルを熱源としたヒートポンプ給湯機にて説明するが、電気ヒータを熱源とする電気温水器でもよく、また、電気ヒータは貯湯タンク１内に設けても、貯湯タンク１外に設けた構成でもよいものである。
【００４２】
４は直方体形状の外装筐体であり、４−１は底板である。５は据付脚固定金具であり前方２箇所後方１箇所となるように貯湯タンク１の下方周上に１２０度均等配置されている。５−１は据付脚固定金具ベ−スであり、ここに据付脚６が各々２本のねじ７により固定されている。
【００４３】
８は給水パイプであり、減圧弁９に接続された後、貯湯タンク１の下部と出湯制御部１０に水道水を導くようになっている。
【００４４】
出湯制御部１０からは、給湯パイプ１１、ふろ自動機能配管１２、温水暖房機能配管１３が出力されており、それぞれの接続口が底板４−１に配置されている。
【００４５】
製品が据付け設置され給水パイプ８より水道水が供給されると貯湯タンク１をはじめ製品の配管が満水状態となり運転が開始されると、一般的には深夜の時間帯に沸き上げ回路３の作用によって貯湯タンク１の上部から高温水を積層状態で貯湯する。その後、ユ−ザ−が給湯、シャワ−、ふろ、床暖房などの機能を使用すると、貯湯タンク１の上部から熱湯と、給水パイプ８から水道水が供給され、出湯制御部１０が機能毎の必要に応じて、適温かつ適量のお湯を出力するようになる。
【００４６】
また１４は排水配管であり、貯湯タンク１の定期的な掃除などの場合に、汚れ分を排出するために使用される。
【００４７】
１５はアンカ−ボルト、１６はアンカ−用ナットであり、据付脚６のアンカ−ボルト締結面１７のアンカ−ボルトを挿入する穴１７−１に固定できるようになっている。また、据付脚６は、前方が開いた角度をなす２面の据付脚柱面１８と、天部に据付脚固定金具ベ−ス５−１を固定するタンク固定面１９を、一枚の金属板の折り曲げ加工することでできており、据付脚固定金具ベ−ス５−１とタンク固定面１９が各々２本のねじ７により固定すれば、形状と強度があわせて確保できる構造となる。
【００４８】
アンカ−ボルト締結面１７は台形形状となっており、アンカ−ボルトを挿入する穴１７−１はこの台形の重心位置に配され、耐震強度の向上をねらった設計となっている。そして、強い地震衝撃があったとしても、２面の据付脚柱面１８に角度αがついていることから、平行四辺形をたたむような変形が起こらないことで応力が分散されて変形しにくく、さらに、据付脚６全体がもともと一体であるため、応力集中する部位がなく破損に対する強度が大幅に向上する。
【００４９】
また、従来以上の耐震強度が得られることから、据付脚６高さを大幅に高くすることができ、アンカ−ボルト固定作業についても、後方の据付脚６も含め全ての据付脚が前方から容易に作業できる空間を確保することができ、作業性としては従来技術をはるかにしのぐ。さらに、給水パイプ８、給湯パイプ１１、ふろ自動機能配管１２、温水暖房機能配管１３、排水配管１４のための配管、排水処理が数多く存在するが、作業スペースが大きいことから、配管作業、排水処理作業の作業性が向上する。
【００５０】
さらに、アンカ−ボルト締結面１７は前方が開いた台形形状であるため工具の取りまわしスペースに余裕があるため、狭小スペ−ス用の特殊な工具がなくとも、ボルトサイズが可変可能で一般的な大型締結用工具（レンチやモンキ−）により作業ができる。
【００５１】
さらに、後方のアンカ−ボルトを挿入する穴１７−２は長穴形状となっており、製品自体を前方の据付脚６の床に接地した前端部を支点に少し傾けることで、長穴１７−２にアンカ−ボルト１５を挿入でき、しかも前方より締結作業も可能であるため、据付け作業が非常に簡易化できる。
【００５２】
また、前方のアンカ−ボルトを挿入する穴１７−１をアンカ−基準穴となる必要最小寸法の丸穴とすることによって、正確かつ容易な作業が実現できる。
【００５３】
また、正面から見た場合でも、２面の据付脚柱面１８は、角度βをつけた台形形状をなしており、平行四辺形をたたむような変形が起こらないことで応力が分散されて変形しにくく、縦ゆれ地震であったり、大容量化の関係から重心位置の大幅に高くなった製品に対する横ゆれ地震により、上下方向に大きな衝撃が加わった場合の応力に対し耐震強度を向上させることができる。
【００５４】
加えて、配管スペースをさらに大きくすることと、アンカ−ボルト締結面１７をさらに大きくすることの両立が図れ、配管作業、排水処理作業、アンカ−締結用工具（レンチやモンキ−）による作業の作業性が向上する。
【００５５】
（実施の形態２）
図４は本発明の第２の実施の形態における貯湯式給湯機の据付脚の斜視図、図５は同据付脚の展開図である。
【００５６】
図１、図４、図５において、１８−１は据付脚柱背面であり、２面の据付脚柱面１８は据付脚柱背面１８−１から前方に角度αで折り曲げ加工されており、アンカ−ボルト締結面１７は左フラップ２０と右フラップ２１により、タンク固定面１９は上部左フラップ２２と上部右フラップ２３により構成されている。
【００５７】
２４は据付脚補強板であり、アンカ−ボルト締結面１７の裏面および、２つの据付脚柱面１８の外周と密着した底面が台形の箱形状をしている。そして、アンカ−ボルト１５、アンカ−用ナット１６を締め付けることで、据付脚６のアンカ−ボルト締結面１７と据付脚補強板２４が締結されるようになっている。これにより地震の発生で応力がもっとも大きくなるアンカ−ボルト締結面１７に対する補強ができるだけでなく、据付脚補強板２４が据付脚６下部の大きな面による密着した状態で取り付け固定されているため、応力が分散され、耐震強度がさらに大きくなる。
【００５８】
また、アンカ−ボルト締結面１７と据付脚補強板２４は、電気スポット溶接や、ねじなどの固定手段により固定してもよく、これによって耐震強度がさらに大きくなる。
【００５９】
こうした構成によって、強い地震衝撃を据付脚の側面方向より受けた場合に対しての強度が大幅向上する。
【００６０】
さらに、従来は据付脚６のための材料として、強度確保の関係から特に厚い板厚（たとえばｔ６ｍｍ）の金属板材料を使用していたが、この構成により板厚を薄くすることが可能となり、製品の構造材料として一般的に使用している金属板材料（たとえばｔ３ｍｍ）をそのまま転用することで、省資源が図れるだけでなく合理的なものづくりが実現できる。
【００６１】
さらに、据付脚の加工の段階で金属板を折り曲げ加工のための平面展開状態の形状が極端に横長の長方形でなく、概略正方形となって材料ロスが少なく、加工用金型の小型化が図れて、省資源化と合理的なものづくりの両立が実現できる。
【００６２】
さらにまた、据付脚６のアンカ−ボルト締結面にあるアンカ−ボルトを挿入する穴を長穴形状としておけば、据付脚補強板２４のアンカーボルト穴を、アンカ−基準穴となる必要最小寸法の穴２４−１とするものと、アンカ−ボルトの挿入が容易な前記長穴とほぼ同一の寸法の穴とするものを作成することにより、正確かつ容易なアンカ−ボルトの締結作業が実現できる。
【００６３】
また、本発明に係る据付脚は、貯湯式給湯機の貯湯タンク以外にも、空調機の室外機に用いることができ、またその他の重量物である設備機器を設置する場合に用いることができる。
【産業上の利用可能性】
【００６４】
以上のように本発明に係る据付脚は、耐震強度を向上と据え付け作業性の向上を両立させるための課題を解決するものであす。そして、据付脚は、貯湯式給湯機の貯湯タンクや空調機の室外機のような重量物に対しても用いることができる。
【００６５】
また、据付脚を備えた貯湯式給湯機は、耐震強度を向上と据え付け作業性の向上を両立させるもので、ＣＯ２冷媒を使ったヒ−トポンプ給湯機だけでなく、あらゆる熱源を利用した貯湯式給湯機を、高層の集合住宅に設置することを可能にするだけでなく、据え付け作業性と製品としての耐久性に優れた技術として利用可能である。
【図面の簡単な説明】
【００６６】
【図１】本発明の第１の実施の形態における全体構成図
【図２】本発明の同貯湯式給湯機を下方より見た図
【図３】本発明の同貯湯式給湯機の外観図
【図４】本発明の第２の実施の形態における据付脚の斜視図
【図５】本発明の同貯湯式給湯機の据付脚の展開図
【図６】従来の貯湯式給湯機の据付脚の構成図
【符号の説明】
【００６７】
１  タンク
５  据付脚固定金具
６  据付脚
１７  アンカ−ボルト締結面
１８  据付脚柱面
１９  タンク固定面
【図１】
2006132858.tif 000003
【図２】
2006132858.tif 000004
【図３】
2006132858.tif 000005
【図４】
2006132858.tif 000006
【図５】
2006132858.tif 000007
【図６】
2006132858.tif 000008